(57)【要約】【課題】  部品点数を削減して小型化を図る。【解決手段】  一端部に撮像レンズが設けられた装置本体と、ディスプレイが設けられ装置本体に開放位置と閉塞位置の間で移動される蓋体と、装置本体に蓋体を移動自在に支持する支持機構とを備え、蓋体が閉塞位置に移動された状態において撮像レンズが閉塞され蓋体が開放位置に移動された状態において撮像レンズが開放される。これにより、閉塞位置においてディスプレイが設けられた蓋体によって撮像レンズが覆われて保護されるため、撮像レンズを保護するための専用の部材を必要とせず、部品点数を削減して小型化を図ることができる。【選択図】図２
2015169829.tif 000002
【特許請求の範囲】
【請求項１】
一端部に撮像レンズが設けられた装置本体と、
ディスプレイが設けられ前記装置本体に対して開放位置と閉塞位置の間で移動可能な蓋体と、
前記装置本体に対して前記蓋体を移動自在に支持する支持機構とを備え、
前記蓋体が前記閉塞位置に位置する状態において前記撮像レンズが閉塞され前記蓋体が前記開放位置に位置する状態において前記撮像レンズが開放される
撮像装置。
【請求項２】
前記蓋体が前記閉塞位置に位置する状態において前記ディスプレイが閉塞され前記蓋体が前記開放位置に位置する状態において前記ディスプレイが開放される
請求項１に記載の撮像装置。
【請求項３】
前記支持機構は回動機構を含み、
前記蓋体が前記装置本体に前記回動機構を介して回動自在に支持された
請求項１に記載の撮像装置。
【請求項４】
前記支持機構は、前記撮像レンズの光軸方向に延びる第１の支点軸と前記光軸方向に直交する方向に延びる第２の支点軸とを備え、
前記蓋体が前記第１の支点軸を支点として前記第１の支点軸の軸回り方向へ回動されると共に前記第２の支点軸を支点として前記第２の支点軸の軸回り方向へ回動される
請求項３に記載の撮像装置。
【請求項５】
前記支持機構は、スライド機構を含み、
前記蓋体が前記装置本体に前記スライド機構を介してスライド自在に支持された
請求項１に記載の撮像装置。
【請求項６】
前記支持機構はさらに回動機構を含み、
前記蓋体が前記装置本体に前記回動機構を介して回動自在に支持された
請求項５に記載の撮像装置。
【請求項７】
前記蓋体は前記閉塞位置において前記ディスプレイが前記装置本体側を向き前記撮像レンズに対向する対向状態又は前記ディスプレイが前記装置本体側の反対側を向く非対向状態の何れかの状態となり、
前記蓋体が前記非対向状態であるときに再生モードに設定する制御部をさらに備える
請求項４に記載の撮像装置。
【請求項８】
前記蓋体が前記閉塞位置から前記開放位置へ向けて移動されたことに応じて主電源がオンとされる
請求項１に記載の撮像装置。
【請求項９】
前記装置本体の前記撮像レンズが設けられた面がレンズ配置面として形成され、
前記蓋体の前記ディスプレイが設けられた面がディスプレイ配置面として形成され、
前記蓋体が前記閉塞位置に位置するときに前記レンズ配置面の外周と前記ディスプレイ配置面の外周とが前記撮像レンズの光軸方向において一致される
請求項１に記載の撮像装置。
【請求項１０】
前記蓋体は厚み方向が前記ディスプレイの厚み方向に一致された平板状に形成された
請求項１に記載の撮像装置。
【請求項１１】
前記蓋体の前記ディスプレイが設けられた面がディスプレイ配置面として形成され、
前記ディスプレイ配置面に操作釦が配置された
請求項１に記載の撮像装置。
【請求項１２】
前記装置本体にバッテリーが挿入されるバッテリー挿入孔が形成され、
前記装置本体に前記バッテリー挿入孔を開閉する開き位置と閉じ位置の間で移動自在に支持されたカバー体が設けられた
請求項１に記載の撮像装置。
【請求項１３】
前記カバー体は前記装置本体に対して回動可能である
請求項１２に記載の撮像装置。
【請求項１４】
前記カバー体の前記装置本体に対する回動可能な方向と前記蓋体の前記装置本体に対する回動可能な方向とが同じ方向である
請求項１３に記載の撮像装置。
【請求項１５】
前記装置本体の前記バッテリー挿入孔が形成された面がバッテリー挿入面とされ、
前記カバー体の前記バッテリー挿入孔を閉塞する面が対向面とされ、
前記カバー体が前記閉じ位置に位置するときに、前記バッテリー挿入面の外周と前記対向面の外周とが前記撮像レンズの光軸方向において一致される
請求項１２に記載の撮像装置。
【請求項１６】
前記カバー体は厚み方向が前記撮像レンズの光軸方向に一致された平板状に形成された
請求項１２に記載の撮像装置。
【請求項１７】
前記カバー体に指の挿入が可能な操作凹部が形成された
請求項１２に記載の撮像装置。
【請求項１８】
前記装置本体に投射用レンズが設けられ、
前記投射用レンズから画像が投射可能とされた
請求項１に記載の撮像装置。
【請求項１９】
前記蓋体が閉塞位置にある状態において前記蓋体と前記装置本体が上下に位置する向きであるときに、前記画像を前記投射用レンズから投射する投射モードに設定する制御部をさらに備える
請求項１８に記載の撮像装置。
【請求項２０】
前記装置本体の外周面に曲面状の被覆面部と略平面状の把持面部とが形成された
請求項１に記載の撮像装置。
【発明の詳細な説明】
【技術分野】
【０００１】
本技術は、装置本体に撮像レンズが設けられ撮像レンズが蓋体によって開閉される撮像装置についての技術分野に関する。
【先行技術文献】
【特許文献】
【０００２】
【特許文献１】特開２００５−１８９６０１号公報
【特許文献２】特開２０１３−２５４００７号公報
【背景技術】
【０００３】
ビデオカメラやスチルカメラ等の各種の撮像装置には、撮像レンズが設けられた装置本体とディスプレイが設けられた筐体とを有し、筐体が装置本体に対して回動可能とされたタイプがある（例えば、特許文献１及び特許文献２参照）。
【０００４】
このような撮像装置においては、筐体を閉塞位置に回動させることにより非撮影時にディスプレイを保護することができ、筐体を開放位置に回動させてディスプレイを視認して撮影し撮影時における使い勝手の向上を図ることができる。
【０００５】
また、ディスプレイが外側を向くようにして筐体を閉塞位置に回動することにより、閉塞位置において撮影した画像の再生を行うことも可能である。
【０００６】
さらに、撮影時には筐体を所定の位置まで回動させることにより、撮像レンズが向く方向とディスプレイが向く方向とを異ならせることが可能になり、例えば、ハイアングル撮影、ローアングル撮影、自分撮り撮影等の様々な撮影状態で被写体を撮影することが可能である。
【発明の概要】
【発明が解決しようとする課題】
【０００７】
ところが、特許文献１及び特許文献２に記載された撮像装置にあっては、非撮影時に不要である撮像レンズを保護するために専用のキャップ等を装置本体の一部に取り付ける必要があり、その分、部品点数が多くなり小型化にも支障を来してしまう。
【０００８】
そこで、本技術撮像装置は、上記した問題点を克服し、部品点数を削減して小型化を図ることを目的とする。
【課題を解決するための手段】
【０００９】
第１に、本技術に係る撮像装置は、一端部に撮像レンズが設けられた装置本体と、ディスプレイが設けられ前記装置本体に対して開放位置と閉塞位置の間で移動可能な蓋体と、前記装置本体に対して前記蓋体を移動自在に支持する支持機構とを備え、前記蓋体が前記閉塞位置に位置する状態において前記撮像レンズが閉塞され前記蓋体が前記開放位置に位置する状態において前記撮像レンズが開放されるものである。
【００１０】
これにより、閉塞位置においてディスプレイが設けられた蓋体によって撮像レンズが覆われて保護される。
【００１１】
第２に、上記した本技術に係る撮像装置においては、前記蓋体が前記閉塞位置に位置する状態において前記ディスプレイが閉塞され前記蓋体が前記開放位置に位置する状態において前記ディスプレイが開放されることが望ましい。
【００１２】
これにより、蓋体が閉塞位置に位置された状態においてディスプレイが撮像レンズとともに閉塞される。
【００１３】
第３に、上記した本技術に係る撮像装置においては、前記支持機構は回動機構を含み、前記蓋体が前記装置本体に前記回動機構を介して回動自在に支持されることが望ましい。
【００１４】
これにより、蓋体が装置本体に対して回動されて移動される。
【００１５】
第４に、上記した本技術に係る撮像装置においては、前記支持機構は、前記撮像レンズの光軸方向に延びる第１の支点軸と前記光軸方向に直交する方向に延びる第２の支点軸とを備え、前記蓋体が前記第１の支点軸を支点として前記第１の支点軸の軸回り方向へ回動されると共に前記第２の支点軸を支点として前記第２の支点軸の軸回り方向へ回動されることが望ましい。
【００１６】
これにより、蓋体が装置本体に対して異なる２方向へ回動される。
【００１７】
第５に、上記した本技術に係る撮像装置においては、前記支持機構は、スライド機構を含み、前記蓋体が前記装置本体に前記スライド機構を介してスライド自在に支持されることが望ましい。
【００１８】
これにより、蓋体が装置本体に対してスライドされて移動される。
【００１９】
第６に、上記した本技術に係る撮像装置においては、前記支持機構はさらに回動機構を含み、前記蓋体が前記装置本体に前記回動機構を介して回動自在に支持されることが望ましい。
【００２０】
これにより、蓋体が装置本体に対してスライドと回動の双方によって異なる方向へ移動される。
【００２１】
第７に、上記した本技術に係る撮像装置においては、前記蓋体は前記閉塞位置において前記ディスプレイが前記装置本体側を向き前記撮像レンズに対向する対向状態又は前記ディスプレイが前記装置本体側の反対側を向く非対向状態の何れかの状態となり、前記蓋体が前記非対向状態であるときに再生モードに設定する制御部をさらに備えることが望ましい。
【００２２】
これにより、蓋体が閉塞位置に移動されることにより、特段の操作を行うことなく再生モードが設定される。
【００２３】
第８に、上記した本技術に係る撮像装置においては、前記蓋体が前記閉塞位置から前記開放位置へ向けて移動されたことに応じて主電源がオンとされることが望ましい。
【００２４】
これにより、主電源のオンを行うための操作を行う必要がない。
【００２５】
第９に、上記した本技術に係る撮像装置においては、前記装置本体の前記撮像レンズが設けられた面がレンズ配置面として形成され、前記蓋体の前記ディスプレイが設けられた面がディスプレイ配置面として形成され、前記蓋体が前記閉塞位置に位置するときに前記レンズ配置面の外周と前記ディスプレイ配置面の外周とが前記撮像レンズの光軸方向において一致されることが望ましい。
【００２６】
これにより、閉塞位置において蓋体が装置本体より外側に突出されない。
【００２７】
第１０に、上記した本技術に係る撮像装置においては、前記蓋体は厚み方向が前記ディスプレイの厚み方向に一致された平板状に形成されることが望ましい。
【００２８】
これにより、平板状の蓋体によって撮像レンズが開閉される。
【００２９】
第１１に、上記した本技術に係る撮像装置においては、前記蓋体の前記ディスプレイが設けられた面がディスプレイ配置面として形成され、前記ディスプレイ配置面に操作釦が配置されることが望ましい。
【００３０】
これにより、画像が表示されるディスプレイを視認した状態において操作釦に対する操作が可能になる。
【００３１】
第１２に、上記した本技術に係る撮像装置においては、前記装置本体にバッテリーが挿入されるバッテリー挿入孔が形成され、前記装置本体に前記バッテリー挿入孔を開閉する開き位置と閉じ位置の間で移動自在に支持されたカバー体が設けられることが望ましい。
【００３２】
これにより、必要に応じてバッテリー挿入孔を開閉することが可能になる。
【００３３】
第１３に、上記した本技術に係る撮像装置においては、前記カバー体は前記装置本体に対して回動可能であることが望ましい。
【００３４】
これにより、カバー体が回動されることにより装置本体に対して移動される。
【００３５】
第１４に、上記した本技術に係る撮像装置においては、前記カバー体の前記装置本体に対する回動可能な方向と前記蓋体の前記装置本体に対する回動可能な方向とが同じ方向であることが望ましい。
【００３６】
これにより、蓋体を回動させるための操作方向とカバー体を回動させるための操作方向とが一致される。
【００３７】
第１５に、上記した本技術に係る撮像装置においては、前記装置本体の前記バッテリー挿入孔が形成された面がバッテリー挿入面とされ、前記カバー体の前記バッテリー挿入孔を閉塞する面が対向面とされ、前記カバー体が前記閉じ位置に位置するときに、前記バッテリー挿入面の外周と前記対向面の外周とが前記撮像レンズの光軸方向において一致されることが望ましい。
【００３８】
これにより、閉じ位置においてカバー体が装置本体より外側に突出されない。
【００３９】
第１６に、上記した本技術に係る撮像装置においては、前記カバー体は厚み方向が前記撮像レンズの光軸方向に一致された平板状に形成されることが望ましい。
【００４０】
これにより、平板状のカバー体によってバッテリー挿入孔が開閉される。
【００４１】
第１７に、上記した本技術に係る撮像装置においては、前記カバー体に指の挿入が可能な操作凹部が形成されることが望ましい。
【００４２】
これにより、使用者は操作凹部に指を挿入してカバー体を閉じ位置と開き位置の間で回動させることが可能になる。
【００４３】
第１８に、上記した本技術に係る撮像装置においては、前記装置本体に投射用レンズが設けられ、前記投射用レンズから画像が投射可能とされることが望ましい。
【００４４】
これにより、撮像装置をプロジェクターとして利用することが可能になる。
【００４５】
第１９に、上記した本技術に係る撮像装置においては、前記蓋体が閉塞位置にある状態において前記蓋体と前記装置本体が上下に位置する向きであるときに、前記画像を前記投射用レンズから投射する投射モードに設定する制御部をさらに備えることが望ましい。
【００４６】
これにより、蓋体と装置本体が上下に位置する向きにされることにより、特段の操作を行うことなく投射モードが設定される。
【００４７】
第２０に、上記した本技術に係る撮像装置においては、前記装置本体の外周面に曲面状の被覆面部と略平面状の把持面部とが形成されることが望ましい。
【００４８】
これにより、撮影時に把持面部に掌を押し当て被覆面部を指で包み込まむことが可能になる。
【発明の効果】
【００４９】
本技術によれば、閉塞位置においてディスプレイが設けられた蓋体によって撮像レンズが覆われて保護されるため、撮像レンズを保護するための専用の部材を必要とせず、部品点数を削減して小型化を図ることができる。
【００５０】
尚、ここに記載された効果は必ずしも限定されるものではなく、本開示中に記載された何れかの効果であってもよい。
【図面の簡単な説明】
【００５１】
【図１】図２乃至図３３と共に本技術撮像装置の実施の形態を示すものであり、本図は、蓋体が閉塞位置にある状態を示す斜視図である。
【図２】蓋体が開放位置に回動された状態を示す斜視図である。
【図３】蓋体が開放位置に回動された状態を図２とは異なる方向から見た状態で示す斜視図である。
【図４】一方の側面図である。
【図５】平面図である。
【図６】他方の側面図である。
【図７】正面図である。
【図８】背面図である。
【図９】底面図である。
【図１０】カバー体が開き位置に回動された状態を示す背面図である。
【図１１】蓋体と支持機構を分解して示す斜視図である。
【図１２】蓋体と支持機構を分解して図１１とは異なる方向から見た状態で示す斜視図である。
【図１３】開放位置において蓋体が第２の支点軸を支点として一方に回動された状態を示す側面図である。
【図１４】開放位置において蓋体が第２の支点軸を支点として他方に回動された状態を示す側面図である。
【図１５】カバー体が回動されている状態を示す斜視図である。
【図１６】カバー体が回動されてバッテリー挿入孔が開放された状態をバッテリーとともに示す斜視図である。
【図１７】通常撮影モードにおいて撮影を行っている状態を示す斜視図である。
【図１８】ローアングル撮影モードが設定された状態を示す斜視図である。
【図１９】ハイアングル撮影モードが設定された状態を示す斜視図である。
【図２０】自分撮り撮影モードが設定された状態を示す斜視図である。
【図２１】再生モードが設定された状態を示す斜視図である。
【図２２】内部構成を示すブロック図である。
【図２３】各モードにおける制御処理について示すフローチャート図である。
【図２４】図２５乃至図２８と共に第１の変形例を示すものであり、本図は、蓋体と支持機構を分解して示す斜視図である。
【図２５】蓋体が閉塞位置にある状態を示す斜視図である。
【図２６】蓋体が開放位置にスライドされた状態を示す斜視図である。
【図２７】蓋体が支点軸を支点として一方に回動された状態を示す斜視図である。
【図２８】蓋体が支点軸を支点として他方に回動された状態を示す斜視図である。
【図２９】図３０乃至図３３と共に第２の変形例を示すものであり、本図は、蓋体が閉塞位置にある状態を示す斜視図である。
【図３０】投射モードが設定された状態を示す側面図である。
【図３１】蓋体が１８０°回動されて蓋体の一部と装置本体の一部とが載置面に載置されてプロジェクターとして使用される状態を示す側面図である。
【図３２】蓋体が１８０°回動されて蓋体の一部と装置本体の一部とが載置面に載置されてプロジェクターとして使用される状態を示す斜視図である。
【図３３】蓋体が任意の角度回動されて蓋体の一部と装置本体の一部とが載置面に載置されてプロジェクターとして使用される状態を示す正面図である。
【発明を実施するための形態】
【００５２】
以下に、本技術を実施するための形態を添付図面を参照して説明する。
【００５３】
以下に示す実施の形態は、本技術撮像装置をビデオカメラに適用したものである。尚、本技術の適用範囲はビデオカメラに限られることはなく、例えば、スチルカメラにも適用することができる。
【００５４】
以下の説明にあっては、ビデオカメラの撮影時において撮影者から見た方向で前後上下左右の方向を示すものとする。従って、被写体側が前方となる。尚、以下に示す前後上下左右の方向は説明の便宜上のものであり、本技術の実施に関しては、これらの方向に限定されることはない。
【００５５】
＜撮像装置の構成＞
先ず、撮像装置の構成について説明する（図１乃至図１６参照）。
【００５６】
撮像装置１は、図１乃至図９に示すように、前後に延びる形状に形成された装置本体２と装置本体２の前端部に回動自在に支持された蓋体３と装置本体２の後端部に回動自在に支持されたカバー体４とを有している。
【００５７】
装置本体２は外面がレンズ配置面５として形成された前面とバッテリー挿入面６として形成された後面と両者の間に位置された外周面７とから成る。レンズ配置面５は円形状に形成され、バッテリー挿入面６は外周が円弧面と外方に凸の緩やかな曲面とによって構成された形状に形成されている。
【００５８】
外周面７は外側に凸の曲面状に形成された被覆面部７ａと側方を向く略平面状の把持面部７ｂとから成る。把持面部７ｂは外周面７の約３分の１の部分を占有している。把持面部７ｂは装置本体２の前端部以外の部分に形成され、装置本体２の前端部には把持面部７ｂの前側に連続して側方に突出された突状部８が設けられている。
【００５９】
装置本体２の上面にはズーム摘子９が配置されている。ズーム摘子９を操作することにより撮影する画像のズーミングを行うことができる。
【００６０】
装置本体２のレンズ配置面５側（前端部）には撮像レンズ１０が設けられ、撮像レンズ１０の光軸方向が前後方向にされている。装置本体２の内部には前後方向に並んで複数のレンズが配置され、これらのレンズの後方にＣＣＤ（Charge Coupled Device）やＣＭＯＳ（Complementary Metal Oxide Semiconductor）等の後述する撮像素子が配置されている。尚、本明細書における光軸方向は、入射側のレンズにおける光軸方向であり、具体的には、撮像レンズ１０の光軸方向である。
【００６１】
バッテリー挿入面６の一端部にはバッテリー１１が挿入されるバッテリー挿入孔６ａが形成されている（図１０参照）。バッテリー挿入孔６ａからはバッテリー１１が挿入され、挿入されたバッテリー１１は装置本体２の内部において複数のレンズの側方に配置される。
【００６２】
装置本体２の前端部には前方及び側方に開口された配置凹部２ａが形成され、配置凹部２ａには前方に開口された連結穴２ｂが形成されている（図１１及び図１２参照）。
【００６３】
蓋体３は回動機構として機能する支持機構１２を介して装置本体２に回動自在に支持されている。支持機構１２は連結部１３と連結部１３から後方に突出された突部１４とから成る。
【００６４】
連結部１３は前面１３ａと後面１３ｂと平面状の第１の側面１３ｃと円弧面状の第２の側面１３ｄとを有し、第１の側面１３ｃが長方形状に形成されている。連結部１３は第１の側面１３ｃの長手方向における両端と第２の側面１３ｄの周方向における両端とがそれぞれ連続されている。連結部１３には第１の側面１３ｃに開口された支持穴１３ｅが形成されている。
【００６５】
突部１４には後方に突出された第１の支点軸１４ａが設けられている。
【００６６】
支持機構１２は突部１４が配置凹部２ａに挿入され第１の支点軸１４ａが連結穴２ｂに挿入されて装置本体２に連結され、第１の支点軸１４ａを支点として装置本体２に対して第１の支点軸１４ａの軸回り方向へ回動可能とされる。
【００６７】
尚、上記には、支持機構１２に第１の支点軸１４ａが設けられ装置本体２に第１の支点軸１４ａが挿入される連結穴２ｂが形成された例を示したが、逆に、支持機構１２に連結穴が形成され装置本体２に連結穴に挿入される第１の支点軸が設けられていてもよい。
【００６８】
蓋体３は装置本体２の撮像レンズ１０を閉塞する閉塞位置（図１参照）と撮像レンズ１０を開放する開放位置（図２及び図３参照）との間で支持機構１２を介して装置本体２に回動自在に支持されている。
【００６９】
蓋体３は略円板状に形成され、厚み方向における両側の面がそれぞれ前側外面１５とディスプレイ配置面１６として形成されている（図１１及び図１２参照）。蓋体３は、周面（外周面）１７の一部が平面部１７ａとして形成され、周面１７のうち平面部１７ａ以外の部分が円弧面部１７ｂとして形成されている。蓋体３は円弧面部１７ｂの径が装置本体２におけるレンズ配置面５の径と同じ大きさにされている。
【００７０】
蓋体３には平面部１７ａから突出された第２の支点軸３ａが設けられている。第２の支点軸３ａは光軸方向に直交する方向へ延びる状態で設けられている。
【００７１】
蓋体３のディスプレイ配置面１６側にはディスプレイ１８が設けられている。ディスプレイ配置面１６にはディスプレイ１８の周囲に操作釦として、例えば、録画釦１９と再生釦２０が配置されている。
【００７２】
蓋体３は第２の支点軸３ａが支持穴１３ｅに挿入されて支持機構１２に連結され、第２の支点軸３ａを支点として支持機構１２を介して装置本体２に対して第２の支点軸３ａの軸回り方向へ回動可能とされる。
【００７３】
蓋体３が閉塞位置にある状態においては、ディスプレイ１８が装置本体２側を向いて撮像レンズ１０に対向する対向状態にされている（図１参照）。
【００７４】
閉塞位置においては支持機構１２の第１の側面１３ｃと蓋体３の平面部１７ａとが左右方向において対向して位置され、支持機構１２の第２の側面１３ｄと蓋体３の円弧面部１７ｂとが連続して位置される（図１及び図７参照）。従って、蓋体３と支持機構１２の連結部１３とによって円板状の形状が形成され、この円板状の形状の外周が装置本体２におけるレンズ配置面５の外周に一致される。
【００７５】
このように閉塞位置において、装置本体２のレンズ配置面５の外周と蓋体３のディスプレイ配置面１６の外周とが前後方向（光軸方向）において一致されるため、閉塞位置において蓋体３が装置本体２より外側に突出されることがなく、撮像装置１の小型化を図ることができる。
【００７６】
また、蓋体３は厚み方向がディスプレイ１８の厚み方向に一致された平板状に形成されているため、平板状の蓋体３によって撮像レンズ１０が開閉され、撮像装置１の小型化を図ることができる。
【００７７】
蓋体３は第１の支点軸１４ａを支点として撮像レンズ１０を閉塞する閉塞位置と撮像レンズ１０を開放する開放位置との間で回動されるが、蓋体３が閉塞位置から開放位置に回動されたときには撮像装置１に主電源がオンにされ、蓋体３が開放位置から閉塞位置に回動されたときには撮像装置１への主電源がオフされるように設定されている。
【００７８】
このように撮像装置１にあっては、蓋体３が閉塞位置から開放位置に回動されたときに主電源がオンにされるため、主電源のオンを行うための操作を行う必要がなく撮像装置１の使い勝手の向上を図ることができると共に電源釦を設ける必要がないため部品点数の削減による撮像装置１の製造コストの低減を図ることができる。
【００７９】
蓋体３が閉塞位置にある状態においては撮像レンズ１０とディスプレイ１８が閉塞され（図１参照）、蓋体３が開放位置にある状態においては撮像レンズ１０とディスプレイ１８が開放される（図２及び図３参照）。
【００８０】
蓋体３は開放位置において第２の支点軸３ａを支点として装置本体２に対して回動可能とされている（図１３及び図１４参照）。従って、蓋体３は光軸方向に延びる第１の支点軸１４ａの軸回り方向へ回動可能とされると共に光軸方向に直交する方向に延びる第２の支点軸３ａの軸回り方向へ回動可能とされている。蓋体３は第２の支点軸３ａの軸回り方向へ、例えば、３６０°の回動が可能とされている。
【００８１】
尚、上記には、蓋体３に第２の支点軸３ａが設けられ支持機構１２に第２の支点軸３ａが挿入される支持穴１３ｅが形成された例を示したが、逆に、蓋体３に支持穴が形成され支持機構１２に支持穴に挿入される第２の支点軸が設けられていてもよい。
【００８２】
カバー体４は装置本体２のバッテリー挿入面６に形成されたバッテリー挿入孔６ａを閉塞する閉じ位置（図８参照）とバッテリー挿入孔６ａを開放する開き位置（図１０参照）との間で装置本体２に回動自在に支持されている。カバー体４は装置本体２に前後に延びる連結軸２１によって連結され、連結軸２１の軸回り方向へ回動される。
【００８３】
カバー体４は装置本体２のバッテリー挿入面６と同じ形状及び大きさの板状に形成され、厚み方向が前後方向にされている。カバー体４の前面は対向面２２として形成されカバー体４の後面は後側外面２３として形成されている。後側外面２３には操作凹部２３ａが形成されている。
【００８４】
使用者は操作凹部２３ａに指を挿入してカバー体４を閉じ位置と開き位置の間で回動させることが可能である（図１５参照）。従って、カバー体４の回動を容易に行うことができ操作性の向上を図ることができる。カバー体４が開き位置に回動された状態においてバッテリー挿入孔６ａに対するバッテリー１１の挿入及び取出を行うことができ（図１６参照）、カバー体４が閉じ位置に回動された状態においてバッテリー挿入孔６ａ及びバッテリー挿入孔６ａに挿入されたバッテリー１１が閉塞される（図８参照）。
【００８５】
上記のように、撮像装置１にはバッテリー挿入孔６ａを開閉するカバー体４が設けられているため、必要に応じてバッテリー挿入孔６ａを開閉することが可能であり、バッテリー１１の装置本体２からの脱落を防止することができると共にバッテリー１１を保護することができる。
【００８６】
また、カバー体４が回動されることにより装置本体２に対して移動されるため、カバー体４の簡単な動作によりバッテリー挿入孔６ａが開閉され、撮像装置１の使い勝手の向上を図ることができると共にバッテリー１１の装置本体２の内部への装着作業及びバッテリー１１の装置本体２の内部からの取出作業を容易に行うことができる。
【００８７】
さらに、カバー体４は蓋体３の閉塞位置と開放位置の間の回動方向と同じ方向へ回動可能な構成となっているため、蓋体３を回動させるための操作方向とカバー体４を回動させるための操作方向とが一致され、撮像装置１における各操作が解り易く、操作性の向上による撮像装置１の使い勝手の向上を図ることができる。
【００８８】
カバー体４は閉じ位置において対向面２２がバッテリー挿入面６と前後方向において対向して位置される。閉じ位置においてはカバー体４の外周がバッテリー挿入面６の外周に一致される。
【００８９】
このように閉じ位置において、カバー体４の外周とバッテリー挿入面６の外周とが前後方向において一致されるため、閉じ位置においてカバー体４が装置本体２より外側に突出されることがなく、撮像装置１の小型化を図ることができる。
【００９０】
また、カバー体４は厚み方向が前後方向に一致された平板状に形成されているため、平板状のカバー体４によってバッテリー挿入孔６ａが開閉され、撮像装置１の小型化を図ることができる。  
さらに、撮像装置１にあっては、支持機構１２として回動機構が設けられ、蓋体３が装置本体２に回動自在に支持されている。
【００９１】
従って、蓋体３が装置本体２に対して回動されて移動されるため、蓋体３の簡単な動作により撮像レンズ１０とディスプレイ１８が開閉され、使い勝手の向上を図ることができる。
【００９２】
さらにまた、撮像レンズ１０の光軸方向に延びる第１の支点軸１４ａと光軸方向に直交する方向に延びる第２の支点軸３ａとが設けられ、蓋体３が第１の支点軸１４ａを支点として第１の支点軸１４ａの軸回り方向へ回動されると共に第２の支点軸３ａを支点として第２の支点軸３ａの軸回り方向へ回動される。
【００９３】
従って、蓋体３が装置本体２に対して異なる２方向へ回動されるため、ディスプレイ１８の向きの自由度が高まり、一層の使い勝手の向上を図ることができる。
【００９４】
＜使用状態＞
次に、撮像装置１の各使用状態について説明する。撮像装置１の使用状態としては撮影状態と再生状態がある。撮影状態においては通常撮影モード、ハイアングル撮影モード、ローアングル撮影モード又は自分撮り撮影モードが設定され、再生状態においては再生モードが設定される。尚、撮像装置１においては、撮影モードと再生モードのみが認識（検出）されて撮影又は再生が可能な状態にされるように構成されていてもよい。この場合には、撮影モードにおいて使用者が蓋体３を回動させてディスプレイ１８の向きを所望の向きにすることにより、通常撮影の状態、ハイアングル撮影の状態、ローアングル撮影の状態又は自分撮り撮影の状態にすることが可能である。
【００９５】
通常撮影モードは蓋体３が閉塞位置から開放位置に回動されることにより設定される（図１７参照）。このとき使用者は手７０を装置本体２に宛って外周面７の把持面部７ｂに掌７１を押し当て被覆面部７ａを指７２、７２、・・・で包み込んで撮影する。
【００９６】
このように撮影時に手７０が宛われる装置本体２には掌７１が押し当てられる略平面状の把持面部７ｂと指７２、７２、・・・で包み込まれる曲面状の被覆面部７ａが形成されているため、装置本体２の安定した把持状態が確保され、撮影を行い易いと共に上下左右（パン・チルト）の向きを容易に定めることができる。
【００９７】
また、装置本体２の外周面７にズーム摘子９が配置されているため、装置本体２の安定した把持状態が確保された状態でズーム摘子９に対する操作が可能であり、ズーム摘子９に対する操作性の向上を図ることができる。
【００９８】
ローアングル撮影モードは開放位置において蓋体３をディスプレイ１８が斜め上方を向くように第２の支点軸３ａを支点として回動させることにより設定される（図１８参照）。このように開放位置において蓋体３を回動させることによりローアングル撮影を行うことが可能になるため、簡単な操作により撮影の選択の幅が広がり、撮像装置１の使い勝手の向上を図ることができる。
【００９９】
ハイアングル撮影モードは開放位置において蓋体３をディスプレイ１８が斜め下方を向くように第２の支点軸３ａを支点として回動させることにより設定される（図１９参照）。このように開放位置において蓋体３を回動させることによりハイアングル撮影を行うことが可能になるため、簡単な操作により撮影の選択の幅が広がり、撮像装置１の使い勝手の向上を図ることができる。
【０１００】
自分撮り撮影モードは開放位置において蓋体３をディスプレイ１８が前方を向くように第２の支点軸３ａを支点として回動させることにより設定される（図２０参照）。このとき撮像レンズ１０が自分を向くように装置本体２の向きを設定する。開放位置において蓋体３を回動させることにより自分撮り撮影を行うことが可能になるため、簡単な操作により撮影の選択の幅が広がり、撮像装置１の使い勝手の向上を図ることができる。
【０１０１】
自分撮り撮影モードにおいてはディスプレイ１８に表示される画像の反転制御が行われ、上下の向きが正しい画像がディスプレイ１８に再生される。また、自分撮りモードにおいてディスプレイ１８に表示される画像の上下の反転制御に加え左右の反転制御が行われるようにされてもよい。画像の左右の反転制御が行われることにより撮影者において位置関係を理解し易くなり、使い勝手の向上が図られる。
【０１０２】
上記した通常撮影モード、ハイアングル撮影モード、ローアングル撮影モード及び自分撮り撮影モードにおいては、蓋体３に設けられた録画釦１９を操作することにより被写体の撮影が行われる。
【０１０３】
録画釦１９はディスプレイ１８が設けられたディスプレイ配置面１６に配置されているため、被写体が表示されるディスプレイ１８を視認した状態において録画釦１９に対する操作が可能であり、撮影操作を行い易く撮像装置１における操作性の向上を図ることができる。
【０１０４】
再生モードは開放位置において蓋体３をディスプレイ１８が前方を向くように第２の支点軸３ａを支点として回動させ、続いて、蓋体３を第１の支点軸１４ａを支点として開放位置から閉塞位置に回動させることにより設定される（図２１参照）。従って、再生モードにおいて、蓋体３はディスプレイ１８が装置本体２の反対側を向いて撮像レンズ１０と対向しない非対向状態にされる。
【０１０５】
再生モードにおいてはディスプレイ１８に表示される画像の反転制御が行われ、上下の向きが正しい画像がディスプレイ１８に再生される。
【０１０６】
また、撮像装置１にあっては、ディスプレイ１８が装置本体２の反対側を向いて撮像レンズ１０と対向しない非対向状態で蓋体３が閉塞位置に回動されることにより、録画釦１９に対する操作が不能な状態になると共にディスプレイ１８に対して再生した画像の表示が可能な状態に設定される。
【０１０７】
従って、特段の操作を行うことなく再生モードが設定されるため、再生モードの設定が容易であり、また、再生モードにおいては、画像の再生時に使用されることがない撮像レンズ１０が蓋体３によって閉塞されるため、撮像レンズ１０を保護することができる。
【０１０８】
再生モードにおいては、蓋体３に設けられた再生釦２０を操作することにより撮影した画像のディスプレイ１８への表示が行われる。
【０１０９】
再生釦２０はディスプレイ１８が設けられたディスプレイ配置面１６に配置されているため、撮影した画像が表示されるディスプレイ１８を視認した状態において再生釦２０の操作が可能であり、再生操作を行い易く撮像装置１における操作性の向上を図ることができる。
【０１１０】
尚、上記には、録画釦１９や再生釦２０に対して操作を行うことにより所定の機能が実行される例を示したが、例えば、ディスプレイ１８をタッチパネル等の操作画面として形成し、ディスプレイ１８に対して所定の各操作を行うことにより操作に応じて撮影や再生等の各機能が実行されるように構成することも可能である。
【０１１１】
＜撮像装置の内部構成＞
次に、撮像装置１の内部構成（回路構成）について説明する（図２２参照）。
【０１１２】
撮像装置１の内部には、撮像部５０、画像信号処理部５１、エンコード／デコード部５２、表示部５３、メディアドライブ５４、入力部５５、制御部５６、バス５７、加速度センサー５８及び回転角度センサー５９が設けられている。バス５７を除いた各部はバス５７を介して相互に接続され、各部間において各種のデータや制御信号等の授受が行われる。
【０１１３】
撮像部５０は、撮像レンズ１０を含む各レンズを有するレンズユニットと、レンズユニットを介して得られた被写体光を光電変換して電気信号（撮像信号）に変換するＣＣＤ（Charge Coupled Device）やＣＭＯＳ（Complementary Metal Oxide Semiconductor）等の撮像素子と、撮像素子により得られた画像信号のゲイン調整や波形整形を行うサンプルホールド／ＡＧＣ(Automatic Gain Control)回路やビデオＡ／Ｄコンバータを有し、デジタルデータとしての撮像画像データを取得する。
【０１１４】
撮像部５０は制御部５６による制御に基づき焦点距離（フォーカス）や画角（ズーム）、シャッタースピード、絞り等を調整する機能を有している。
【０１１５】
画像信号処理部５１は、撮像部５０によって取得された撮像画像データに対して各種の画像信号処理、例えば、階調補正処理、シェーディング補正処理、高域補正（輪郭補正）処理、手ぶれ補正処理等を行う。
【０１１６】
エンコード／デコード部５２は画像信号処理部５１によって画像信号処理が行われた撮像画像データに対して圧縮処理及び圧縮処理された撮像画像データの伸張処理を行う。圧縮／伸張の形式として、例えば、静止画についてはＪＰＥＧ（Joint Photographic Experts Group）形式等の所定の静止画形式による圧縮／伸張処理を行い、動画については、例えば、ＭＰＥＧ（Moving Picture Experts Group）形式やＡＶＣＨＤ（Advanced Video Codec High Definition）形式等の所定の動画形式による圧縮／伸張処理を行う。
【０１１７】
表示部５３はディスプレイ１８を有し、制御部５６の制御に基づいて各種の情報の表示、例えば、撮影された画像の表示を行う。
【０１１８】
メディアドライブ５４は、フラッシュメモリ（Flash Memory）等の半導体メモリ、又は、磁気ディスク、光ディスク、光磁気ディスク等の記録媒体に対する記録再生系回路・機構により構成されている。メディアドライブ５４は、制御部５６の制御に基づきエンコード／デコード部５２で取得された動画形式や静止画形式による圧縮撮像画像データ等の各種のデータの記録媒体への記録や記録媒体に記録された圧縮撮像画像データ等の各種のデータの読み出し等を行う。
【０１１９】
入力部５５は、撮影者が撮像装置１に対する各種の操作を行うためのズーム摘子９や録画釦１９や再生釦２０等の操作部を有し、使用者の入力操作を検出し、制御部５６に入力操作に応じた情報（操作入力情報）を伝達する。操作部としてタッチパネルが設けられている場合には、入力部５５にタッチパネルが含まれる。
【０１２０】
制御部５６は、例えば、ＣＰＵ（Central Processing Unit）やＲＯＭ（Read Only Memory）やＲＡＭ（Random Access Memory）等を備えたマイクロコンピューターであり、例えば、ＲＯＭ等に記憶されたプログラムに従った処理を実行することにより撮像装置１の全体の制御を行う。
【０１２１】
制御部５６は、例えば、静止画の撮影時には、入力部５５に対する操作入力に応じてエンコード／デコード部５２に画像信号処理部５１から入力される撮像画像データについての静止画圧縮処理を実行させ、これにより得られた圧縮撮像画像データをメディアドライブ５４により記録媒体に記録させる制御を行う。
【０１２２】
また、動画の撮影時には、入力部５５に対する操作入力に応じてエンコード／デコード部５２に画像信号処理部５１から入力される撮像画像データについての動画圧縮処理を開始させ、これにより得られる圧縮撮像画像データをメディアドライブ５４により記録媒体に記録させる制御を行う。
【０１２３】
さらに、制御部５６は、撮影状態において画像信号処理部５１で得られる撮像画像データに基づく画像をスルー画像として表示部５３（ディスプレイ１８）に表示させる制御も行う。
【０１２４】
加速度センサー５８は重力加速度を検出する。加速度センサー５８としては、例えば、３軸センサーが用いられ、加速度センサー５８による加速度検出信号のＤＣ成分により重力が作用する方向を検出することが可能とされ、ＡＣ成分により振動検出が可能とされている。加速度センサー５８によって重力が作用する方向が検出されると、例えば、制御部５６によって撮像装置１の姿勢が検知され、検知された姿勢に応じてディスプレイ１８に表示される画像の向きが制御される。
【０１２５】
回転角度センサー５９はロータリーエンコーダー等によって構成され、蓋体３の装置本体２に対する回転角度を検出する。蓋体３の装置本体２に対する回転角度としては、第１の支点軸１４ａの軸回り方向における回転角度と第２の支点軸３ａの軸回り方向における回転角度の双方の回転角度が各別に検出される。回転角度センサー５９によって蓋体３の回転角度が検出されると、例えば、制御部５６によって蓋体３の回転角度に応じてディスプレイ１８に表示される画像の向きが制御される。尚、回転角度センサー５９によって蓋体３の閉塞位置と開放位置の二つの位置だけが検出されるようにしてもよい。この場合にはメカニカルスイッチや光スイッチによって位置が検出されてもよい。
【０１２６】
＜各モードにおける制御処理＞
次に、各モードにおける制御処理について、図２３のフローチャート図を参照して説明する。各モードにおける制御処理は制御部５６によって加速度センサー５８や回転角度センサー５９の検出結果等に基づいて行われる。これらの各制御処理はＲＯＭ等に格納されたプログラムに従って実行される。また、制御処理は、例えば、一定時間毎に実行される。
【０１２７】
尚、以下の説明においては、蓋体３の第１の支点軸３ａを支点とした回動方向を第１の回動方向とし、蓋体３の第２の支点軸１４ａを支点とした回動方向を第２の回動方向とする。
【０１２８】
また、以下に示す撮影モードとは通常撮影モードとハイアングル撮影モードとローアングル撮影モードを含むモードである。
【０１２９】
制御処理が開始される状態においては、主電源がオフにされている（ステップＳ１）。但し、撮像装置１にはサブ電源を有しており、このときステップＳ１の処理を行うためにサブ電源がオンにされている。
【０１３０】
ステップＳ２において蓋体３が閉塞位置から開放位置に回動されたことが検出されると、制御部５６が主電源をオンにする制御処理を行う（ステップＳ３）。制御部５６は主電源をオンにする制御処理を行うと同時に通常撮影モードに設定する制御処理を行う（ステップＳ４）。尚、撮像装置１にあっては、ステップＳ１とステップＳ２に代え、蓋体３が開放位置に回動されるとメカニカルに電源スイッチがオンになる機能が設けられていてもよい。また、逆に、蓋体３が閉塞位置に回動されるとメカニカルに電源スイッチがオフになる機能が設けられていてもよい。
【０１３１】
通常撮影モードに設定された状態においては、蓋体３が第１の回動方向と第２の回動方向の何れの方向にも回動可能であり、制御部５６は、次のステップＳ５において、開放位置に回動された蓋体３の第２の支点軸１４ａを支点とした回動角度θに基づいた制御処理を行う。ステップＳ５において、蓋体３が第１の回動方向において閉塞位置から開放位置に回動された状態、即ち、ディスプレイ１８が真後ろを向く状態を基準位置として、蓋体３の第２の方向への回動角度が予め定められた閾値であるθ以上であることが検出されなかった場合には、制御部５６がステップＳ６の制御処理を行う。
【０１３２】
ステップＳ６において、蓋体３が開放位置にあることが検出された場合には、制御部５６が通常撮影モードの設定を維持する制御処理を行う（ステップＳ４）。この場合には、制御部５６が特に制御を行わず通常撮影モードの設定が維持されてもよい。ステップＳ６において、蓋体３が開放位置にあることが検出されなかった場合には、蓋体３が閉塞位置へ向けて回動される状態又は閉塞位置に回動された状態であり、制御部５６が主電源をオフにする制御処理を行う（ステップＳ７）。主電源がオフにされることにより制御処理が終了する。
【０１３３】
一方、ステップＳ５において、蓋体３の基準位置に対する第２の方向への回動角度がθ以上であることが検出された場合には、制御部５６がステップＳ８の制御処理を行う。ステップＳ８において、制御部５６は自分撮り撮影モードに設定する制御処理を行う。
【０１３４】
自分撮り撮影モードに設定された状態においては、蓋体３が第１の回動方向と第２の回動方向の何れの方向にも回動可能であり、制御部５６は、次のステップＳ９において、蓋体３の基準位置に対する第２の方向への回動角度θに基づいた制御処理を行う。
【０１３５】
ステップＳ９において、蓋体３の基準位置に対する第２の方向への回動角度がθ以上であることが検出されなかった場合には、制御部５６は通常撮影モードに設定する制御処理を行う。
【０１３６】
一方、ステップＳ９において、蓋体３の基準位置に対する第２の方向への回動角度がθ以上であることが検出された場合には、制御部５６が次のステップＳ１０の制御処理を行う。
【０１３７】
ステップＳ１０において、蓋体３が閉塞位置にあることが検出されなかった場合には、制御部５６が自分撮り撮影モードの設定を維持する制御処理を行う（ステップＳ８）。この場合には、制御部５６が特に制御を行わず自分撮り撮影モードの設定が維持されてもよい。
【０１３８】
一方、ステップＳ１０において、蓋体３が閉塞位置にあることが検出された場合には、制御部５６が次のステップＳ１１の制御処理を行う。ステップＳ１１において、制御部５６は再生モードに設定する制御処理を行う。
【０１３９】
再生モードに設定された状態においては、蓋体３が第１の回動方向に回動可能であり、制御部５６は、次のステップＳ１２において、蓋体３の第１の方向における回動位置に基づいた制御を行う。
【０１４０】
ステップＳ１２において、蓋体３が閉塞位置にあることが検出された場合には、制御部５６が再生モードを維持する制御処理を行う（ステップＳ１１）。この場合には、制御部５６が特に制御を行わず再生モードの設定が維持されてもよい。
【０１４１】
一方、ステップＳ１２において、蓋体３が閉塞位置にあることが検出されなかった場合には、制御部５６が次のステップＳ１３の制御処理を行う。ステップＳ１３において、制御部５６は自分撮り撮影モードに設定する制御処理を行う。
【０１４２】
自分撮り撮影モードに設定された状態においては、蓋体３が第１の回動方向と第２の回動方向の何れの方向にも回動可能であり、制御部５６は、次のステップＳ１４において、開放位置に回動された蓋体３の第２の支点軸１４ａを支点とした回動角度θに基づいた制御処理を行う。
【０１４３】
ステップＳ１４において、蓋体３の基準位置に対する第２の方向への回動角度がθ以上であることが検出された場合には、次のステップＳ１５の制御処理を行い、蓋体３の基準位置に対する第２の方向への回動角度がθ以上であることが検出されなかった場合には、次のステップＳ１６の制御処理を行う。
【０１４４】
ステップＳ１５において、蓋体３が閉塞位置にあることが検出されなかった場合には、制御部５６が自分撮り撮影モードの設定を維持する制御処理を行う（ステップＳ１３）。この場合には、制御部５６が特に制御を行わず自分撮り撮影モードの設定が維持されてもよい。
【０１４５】
一方、ステップＳ１５において、蓋体３が閉塞位置にあることが検出された場合には、制御部５６が再生モードに設定する制御処理を行う。
【０１４６】
ステップＳ１６において、制御部５６は通常撮影モードに設定する制御処理を行う。
【０１４７】
通常撮影モードに設定された状態においては、蓋体３が第１の回動方向と第２の回動方向の何れの方向にも回動可能であり、制御部５６は、次のステップＳ１７において、開放位置に回動された蓋体３の第２の支点軸１４ａを支点とした回動角度θに基づいた制御処理を行う。
【０１４８】
ステップＳ１７において、蓋体３の基準位置に対する第２の方向への回動角度がθ以上であることが検出された場合には、制御部５６が自分撮り撮影モードに設定する制御処理を行う（ステップＳ１３）。
【０１４９】
一方、ステップＳ１７において、蓋体３の基準位置に対する第２の方向への回動角度がθ以上であることが検出されなかった場合には、次のステップＳ１８において、制御部５６は蓋体３の第１の方向における回動位置に基づいた制御処理を行う。
【０１５０】
ステップＳ１８において、蓋体３が開放位置にあることが検出された場合には、制御部５６が通常撮影モードの設定を維持する制御処理を行う（ステップＳ１６）。この場合には、制御部５６が特に制御を行わず通常撮影モードの設定が維持されてもよい。ステップＳ１７において、蓋体３が開放位置にあることが検出されなかった場合には、蓋体３が閉塞位置へ向けて回動される状態又は閉塞位置に回動された状態であり、制御部５６が主電源をオフにする制御処理を行う（ステップＳ７）。主電源がオフにされることにより制御処理が終了する。
【０１５１】
＜変形例＞
以下に、撮像装置１の変形例に係る撮像装置１Ａ及び撮像装置１Ｂについて説明する（図２４乃至図３３参照）。
【０１５２】
尚、以下に示す撮像装置１Ａは、上記した撮像装置１と比較して、蓋体の移動がスライドで行われることのみが相違するため、撮像装置１と比較して異なる部分についてのみ詳細に説明をし、その他の部分については撮像装置１における同様の部分に付した符号と同じ符号を付して説明は省略する。
【０１５３】
また、以下に示す撮像装置１Ｂは、上記した撮像装置１と比較して、プロジェクター用の投射レンズが設けられたことのみが相違するため、撮像装置１と比較して異なる部分についてのみ詳細に説明をし、その他の部分については撮像装置１における同様の部分に付した符号と同じ符号を付して説明は省略する。
【０１５４】
先ず、撮像装置１Ａについて説明する（図２４乃至図２８参照）。
【０１５５】
撮像装置１Ａは、例えば、略直方体状に形成された装置本体２Ａと装置本体２Ａに移動自在に支持され略矩形状に形成された蓋体３Ａと装置本体２Ａに回動自在に支持され略矩形状に形成されたカバー体４Ａとを有している。尚、装置本体２Ａ、蓋体３Ａ及びカバー体４Ａの形状は略直方体状又は略矩形状に限られることはなく、それぞれ撮像装置１の装置本体２、蓋体３及びカバー体４と同様の形状に形成されていてもよい。
【０１５６】
装置本体２Ａのレンズ配置面５Ａには前方に開口されたガイド溝２ｃ、２ｃが上下に離隔して形成されている（図２４参照）。ガイド溝２ｃ、２ｃは左右に延びそれぞれレンズ配置面５Ａの上下両端部に形成されている。
【０１５７】
蓋体３Ａには側方に開口された支持穴３ｂが形成されている。蓋体３Ａはスライド機構及び回動機構として機能する支持機構１２Ａによって装置本体２Ａにスライド自在かつ回動自在に支持されている。
【０１５８】
支持機構１２Ａは棒状に形成されている。支持機構１２Ａには後方に突出された被ガイド突部１２ａ、１２ａと側方に突出された支点軸１２ｂとが設けられ、被ガイド突部１２ａ、１２ａは長手方向における両端部に設けられている。
【０１５９】
支持機構１２Ａは被ガイド突部１２ａ、１２ａがそれぞれガイド溝２ｃ、２ｃに挿入されて装置本体２Ａに左右方向へスライド自在に支持される。
【０１６０】
尚、上記には、支持機構１２Ａに被ガイド突部１２ａ、１２ａが設けられ装置本体２Ａに被ガイド突部１２ａ、１２ａが挿入されるガイド溝２ｃ、２ｃが形成された例を示したが、支持機構１２Ａに被ガイド溝が形成され装置本体２Ａに被ガイド溝に挿入されるガイド突部が設けられていてもよい。
【０１６１】
蓋体３Ａは装置本体２Ａの撮像レンズ１０を閉塞する閉塞位置（図２５参照）と撮像レンズ１０を開放する開放位置（図２６参照）との間で支持機構１２Ａを介して装置本体２Ａにスライド可能に支持されている。
【０１６２】
蓋体３Ａは支点軸１２ｂが支持穴３ｂに挿入されて支持機構１２Ａに連結され、支点軸１２ｂを支点として支持機構１２Ａを介して装置本体２Ａに対して支点軸１２ｂの軸回り方向へ回動可能とされる（図２７及び図２８参照）。
【０１６３】
尚、上記には、支持機構１２Ａに支点軸１２ｂが設けられ蓋体３Ａに支点軸１２ｂが挿入される支持穴３ｂが形成された例を示したが、逆に、支持機構１２Ａに支持穴が形成され蓋体３Ａに支持穴に挿入される支点軸が設けられていてもよい。
【０１６４】
蓋体３Ａは、上記したように、閉塞位置と開放位置の間で装置本体２Ａに対してスライドされるが、蓋体３Ａが閉塞位置から開放位置にスライドされたときには撮像装置１Ａに主電源がオンにされ、蓋体３Ａが開放位置から閉塞位置にスライドされたときには撮像装置１Ａへの主電源がオフされる。
【０１６５】
このように撮像装置１Ａにあっては、蓋体３Ａが閉塞位置から開放位置にスライドされたときに主電源がオンにされるため、主電源のオンを行うための操作を行う必要がなく撮像装置１Ａの使い勝手の向上を図ることができると共に電源釦を設ける必要がないため部品点数の削減による撮像装置１Ａの製造コストの低減を図ることができる。
【０１６６】
カバー体４Ａは閉じ位置と開き位置の間で装置本体２Ａに回動可能又はスライド可能に支持されている。
【０１６７】
カバー体４Ａがスライドされる場合にカバー体４Ａを蓋体３Ａの閉塞位置と開放位置の間のスライド方向と同じ方向へスライド可能とすることにより、蓋体３Ａをスライドさせるための操作方向とカバー体４Ａをスライドさせるための操作方向とが一致され、操作性の向上による撮像装置１Ａの使い勝手の向上を図ることができる。
【０１６８】
上記したように、撮像装置１Ａにあっては、蓋体３Ａが装置本体２Ａにスライド自在に支持され、蓋体３Ａが装置本体２Ａに対してスライドされて開放位置と閉塞位置の間で移動されるため、蓋体３Ａの簡単な動作により撮像レンズ１０とディスプレイ１８が開閉され、使い勝手の向上を図ることができる。
【０１６９】
また、蓋体３Ａが支点軸１２ｂの軸回り方向へ装置本体２Ａに回動自在に支持され、蓋体３Ａが装置本体２Ａに対してスライドと回動の双方によって異なる方向へ移動されるため、ディスプレイ１８の向きの自由度が高まり、使い勝手の向上を図ることができる。
【０１７０】
尚、上記には、蓋体３Ａとカバー体４Ａがそれぞれ左右方向へスライドされる例を示したが、蓋体３Ａとカバー体４Ａのスライド方向は左右方向に限られることはなく、上下方向や斜め方向であってもよい。
【０１７１】
次に、撮像装置１Ｂについて説明する（図２９乃至図３３参照）。
【０１７２】
撮像装置１Ｂは撮像装置１と同様の形状に形成され、装置本体２Ｂと蓋体３とカバー体４を有している（図２９参照）。
【０１７３】
装置本体２Ｂには外周面７の後端部に投射レンズ２４が配置されている。従って、撮像装置１Ｂは撮影された画像を投射レンズ２４から投射してスクリーン等に映し出すことが可能とされ、プロジェクターとしても機能する。
【０１７４】
撮像装置１Ｂがプロジェクターとして用いられる場合には、例えば、撮像レンズ１０の光軸方向が上下方向となるように装置本体２Ｂを縦長の状態にし、カバー体４が装置本体２Ｂの上方に位置する向きで撮像装置１Ｂを机等の載置面１００に載置する（図３０参照）。
【０１７５】
撮像装置１Ｂにあっては、撮像レンズ１０の光軸方向が上下方向となるように装置本体２Ｂが縦長の状態にされると、録画釦１９や撮影釦２０に対する操作が不能とされ、投射レンズ２４から画像を投射することが可能な投射モードが設定される。
【０１７６】
このような状態で撮像装置１Ｂを載置面１００に載置することにより、水平方向に光を投射して再生された画像をスクリーン等に映し出すことができる。
【０１７７】
また、蓋体３を装置本体２Ｂに対して第１の支点軸１４ａを支点として１８０°回動させ、蓋体３の一部と装置本体２Ｂの一部とを載置面１００に載置して撮像装置１Ｂをプロジェクターとして使用することも可能である（図３１及び図３２参照）。
【０１７８】
このような状態で撮像装置１Ｂを載置面１００に載置することにより、上向きの状態で光を投射して撮影された画像をスクリーン等に映し出すことができる。
【０１７９】
さらに、蓋体３を装置本体２Ｂに対して第１の支点軸１４ａを支点として任意の角度回動させ、蓋体３の一部と装置本体２Ｂの一部とを載置面１００に載置して撮像装置１Ｂをプロジェクターとして使用することも可能である（図３３参照）。尚、この場合には、画像が斜めの状態で投影されないようにするために、画像処理機能や画像の光学的な水平補正機能を有していることが望ましい。
【０１８０】
このような状態で撮像装置１Ｂを載置面１００に載置することにより、斜め上向きの状態で光を投射して撮影された画像をスクリーン等に映し出すことができる。
【０１８１】
上記のように、撮像装置１Ｂにあっては、装置本体２Ｂに投射用レンズ２４が設けられ、撮影された画像を投射用レンズ２４から投射可能とされている。
【０１８２】
従って、撮像装置１Ｂをプロジェクターとして利用することが可能であり、用途の拡大による使い勝手の向上を図ることができる。
【０１８３】
また、撮像装置１Ｂにあっては、撮像レンズ１０の光軸方向が上下方向となるように装置本体２Ｂを縦長の状態にして蓋体３と装置本体２Ｂが上下に位置する向きにすることに応じて投射モードに自動的に設定するようにすれば、投射モードの設定が容易であり、使い勝手の向上を図ることができる。
【０１８４】
尚、上記した撮像装置１Ａにおいても外周面７に投射レンズ２４を設け、プロジェクターとしての使用を可能な構成にしてもよい。
【０１８５】
＜まとめ＞
以上に記載した通り、撮像装置１、１Ａ、１Ｂにあっては、ディスプレイ１６を有する蓋体３、３Ａが装置本体２、２Ａ、２Ｂに対して開放位置と閉塞位置の間で移動され、蓋体３、３Ａが閉塞位置に移動された状態において撮像レンズ１０が閉塞され蓋体３、３Ａが開放位置に移動された状態において撮像レンズ１０が開放される。
【０１８６】
従って、閉塞位置においてディスプレイ１８が設けられた蓋体３、３Ａによって撮像レンズ１０が覆われて保護されるため、撮像レンズ１０を保護するための専用の部材を必要とせず、部品点数を削減して小型化を図ることができる。
【０１８７】
また、蓋体３、３Ａが閉塞位置に移動された状態においてディスプレイ１８が閉塞され蓋体３、３Ａが開放位置に移動された状態においてディスプレイ１８が開放される。
【０１８８】
従って、閉塞位置においてディスプレイ１８が撮像レンズ１０とともに閉塞され、ディスプレイ１８と撮像レンズ１０をそれぞれ閉塞する専用の部材を必要とせず、一層の部品点数の削減による小型化を図ることができる。
【０１８９】
尚、上記において説明した各モードの設定は自動で行われるようにされていてもよく、また、電源のオンオフを含み、一部又は全部を手動で行うことが可能にされていてもよい。
【０１９０】
尚、上記において説明した各モードの設定は自動で行われるようにされていてもよく、また、電源のオンオフを含み、一部又は全部を手動で行うことが可能にされていてもよい。
【０１９１】
＜本技術＞
尚、本技術は以下の構成にすることも可能である。
【０１９２】
（１）
一端部に撮像レンズが設けられた装置本体と、
ディスプレイが設けられ前記装置本体に対して開放位置と閉塞位置の間で移動可能な蓋体と、
前記装置本体に対して前記蓋体を移動自在に支持する支持機構とを備え、
前記蓋体が前記閉塞位置に位置する状態において前記撮像レンズが閉塞され前記蓋体が前記開放位置に位置する状態において前記撮像レンズが開放される
撮像装置。
【０１９３】
（２）
前記蓋体が前記閉塞位置に位置する状態において前記ディスプレイが閉塞され前記蓋体が前記開放位置に位置する状態において前記ディスプレイが開放される
前記（１）に記載の撮像装置。
【０１９４】
（３）
前記支持機構は回動機構を含み、
前記蓋体が前記装置本体に前記回動機構を介して回動自在に支持された
前記（１）又は前記（２）に記載の撮像装置。
【０１９５】
（４）
前記支持機構は、前記撮像レンズの光軸方向に延びる第１の支点軸と前記光軸方向に直交する方向に延びる第２の支点軸とを備え、
前記蓋体が前記第１の支点軸を支点として前記第１の支点軸の軸回り方向へ回動されると共に前記第２の支点軸を支点として前記第２の支点軸の軸回り方向へ回動される
前記（１）から前記（３）の何れかに記載の撮像装置。
【０１９６】
（５）
前記支持機構は、スライド機構を含み、
前記蓋体が前記装置本体に前記スライド機構を介してスライド自在に支持された
前記（１）又は前記（２）に記載の撮像装置。
【０１９７】
（６）
前記支持機構はさらに回動機構を含み、
前記蓋体が前記装置本体に前記回動機構を介して回動自在に支持された
前記（５）に記載の撮像装置。
【０１９８】
（７）
前記蓋体は前記閉塞位置において前記ディスプレイが前記装置本体側を向き前記撮像レンズに対向する対向状態又は前記ディスプレイが前記装置本体側の反対側を向く非対向状態の何れかの状態となり、
前記蓋体が前記非対向状態であるときに再生モードに設定する制御部をさらに備える
前記（４）又は前記（６）に記載の撮像装置。
【０１９９】
（８）
前記蓋体が前記閉塞位置から前記開放位置へ向けて移動されたことに応じて主電源がオンとされる
前記（１）から前記（７）の何れかに記載の撮像装置。
【０２００】
（９）
前記装置本体の前記撮像レンズが設けられた面がレンズ配置面として形成され、
前記蓋体の前記ディスプレイが設けられた面がディスプレイ配置面として形成され、
前記蓋体が前記閉塞位置に位置するときに前記レンズ配置面の外周と前記ディスプレイ配置面の外周とが前記撮像レンズの光軸方向において一致される
前記（１）から前記（８）の何れかに記載の撮像装置。
【０２０１】
（１０）
前記蓋体は厚み方向が前記ディスプレイの厚み方向に一致された平板状に形成された
前記（１）から前記（９）の何れかに記載の撮像装置。
【０２０２】
（１１）
前記蓋体の前記ディスプレイが設けられた面がディスプレイ配置面として形成され、
前記ディスプレイ配置面に操作釦が配置された
前記（１）から前記（１０）の何れかに記載の撮像装置。
【０２０３】
（１２）
前記装置本体にバッテリーが挿入されるバッテリー挿入孔が形成され、
前記装置本体に前記バッテリー挿入孔を開閉する開き位置と閉じ位置の間で移動自在に支持されたカバー体が設けられた
前記（１）に記載の撮像装置。
【０２０４】
（１３）
前記カバー体は前記装置本体に対して回動可能である
前記（１２）に記載の撮像装置。
【０２０５】
（１４）
前記カバー体の前記装置本体に対する回動可能な方向と前記蓋体の前記装置本体に対する回動可能な方向とが同じ方向である
前記（１３）に記載の撮像装置。
【０２０６】
（１５）
前記装置本体の前記バッテリー挿入孔が形成された面がバッテリー挿入面とされ、
前記カバー体の前記バッテリー挿入孔を閉塞する面が対向面とされ、
前記カバー体が前記閉じ位置に位置するときに、前記バッテリー挿入面の外周と前記対向面の外周とが前記撮像レンズの光軸方向において一致される
前記（１２）から前記（１４）の何れかに記載の撮像装置。
【０２０７】
（１６）
前記カバー体は厚み方向が前記撮像レンズの光軸方向に一致された平板状に形成された
前記（１２）から前記（１５）の何れかに記載の撮像装置。
【０２０８】
（１７）
前記カバー体に指の挿入が可能な操作凹部が形成された
前記（１２）から前記（１６）の何れかに記載の撮像装置。
【０２０９】
（１８）
前記装置本体に投射用レンズが設けられ、
前記投射用レンズから画像が投射可能とされた
前記（１）から前記（１７）の何れかに記載の撮像装置。
【０２１０】
（１９）
前記蓋体が閉塞位置にある状態において前記蓋体と前記装置本体が上下に位置する向きであるときに、前記画像を前記投射用レンズから投射する投射モードに設定する制御部をさらに備える
前記（１８）に記載の撮像装置。
【０２１１】
（２０）
前記装置本体の外周面に曲面状の被覆面部と略平面状の把持面部とが形成された
前記（１）から前記（１９）の何れかに記載の撮像装置。
【符号の説明】
【０２１２】
１…撮像装置、２…装置本体、３…蓋体、３ａ…第２の支点軸、４…カバー体、４ａ…操作凹部、５…レンズ配置面、６…バッテリー挿入面、６ａ…バッテリー挿入孔、７…外周面、７ａ…被覆面部、７ｂ…把持面部、１０…撮像レンズ、１１…バッテリー、１２…支持機構、１４ａ…第１の支点軸、１６…ディスプレイ配置面、１８…ディスプレイ、１９…録画釦（操作釦）、２０…再生釦（操作釦）、２２…対向面、１Ａ…撮像装置、２Ａ…装置本体、３Ａ…蓋体、４Ａ…カバー体、５Ａ…レンズ配置面、１２Ａ…支持機構、１２ｂ…支点軸、１Ｂ…撮像装置、２Ｂ…装置本体、２４…投射レンズ
【図１】
2015169829.tif 000003
【図２】
2015169829.tif 000004
【図３】
2015169829.tif 000005
【図４】
2015169829.tif 000006
【図５】
2015169829.tif 000007
【図６】
2015169829.tif 000008
【図７】
2015169829.tif 000009
【図８】
2015169829.tif 000010
【図９】
2015169829.tif 000011
【図１０】
2015169829.tif 000012
【図１１】
2015169829.tif 000013
【図１２】
2015169829.tif 000014
【図１３】
2015169829.tif 000015
【図１４】
2015169829.tif 000016
【図１５】
2015169829.tif 000017
【図１６】
2015169829.tif 000018
【図１７】
2015169829.tif 000019
【図１８】
2015169829.tif 000020
【図１９】
2015169829.tif 000021
【図２０】
2015169829.tif 000022
【図２１】
2015169829.tif 000023
【図２２】
2015169829.tif 000024
【図２３】
2015169829.tif 000025
【図２４】
2015169829.tif 000026
【図２５】
2015169829.tif 000027
【図２６】
2015169829.tif 000028
【図２７】
2015169829.tif 000029
【図２８】
2015169829.tif 000030
【図２９】
2015169829.tif 000031
【図３０】
2015169829.tif 000032
【図３１】
2015169829.tif 000033
【図３２】
2015169829.tif 000034
【図３３】
2015169829.tif 000035